(57)【要約】【課題】本願発明は取り外し可能な電気スタンドを開示した。【解決手段】台座と、支持柱体と、押出板とを含み、前記支持柱体は前記台座の頂端に固定され、前記支持柱体の中にはスライド空間が設置され、前記スライド空間の中には前記押出板の高度を調節できる昇降ユニットが設置され、前記台座の中には伝動空間が設置され、前記伝動空間の中には前記昇降ユニットに動力を提供する動力源が設置され、本願発明は電気スタンドの高度を調節でき、組み立て製品として搬送作業に便利を与え、また、しばらく使用されたあとに自動的にランプシェードを洗浄し、ランプシェードの光の透過率を保証し、照明効果を向上させる。【選択図】図１
2020187994.tif 000002
【特許請求の範囲】
【請求項１】
台座と、支持柱体と、押出板とを含み、
前記支持柱体は前記台座の頂端に固定され、前記支持柱体の中にはスライド空間が設置され、前記スライド空間の中には前記押出板の高度を調節できる昇降ユニットが設置され、前記台座の中には伝動空間が設置され、前記伝動空間の中には前記昇降ユニットに動力を提供する動力源が設置され、
前記伝動空間の左側にある前記台座の中には動力空間が設置され、前記押出板の底端には円柱アームが固定的に設置され、前記円柱アームは前記支持柱体の頂部に取り外し可能に装着され、前記押出板の底端には照明ユニットが固定的に設置され、
前記照明ユニットはランプシェードと、ライトと、底部電気コンタクトと、半円溝とによって構成され、前記押出板の底端には前記ランプシェードが固定的に設置され、前記ランプシェードの中には前記ライトが固定的に設置され、前記ライトの頂端には前記底部電気コンタクトが固定的に設置され、前記ランプシェードの左右両側にある前記押出板の中には二つの前記半円型溝が対称的に形成されていることを特徴とする取り外し可能な電気スタンド。
【請求項２】
前記半円型溝の中には前記ランプシェードに洗浄を行える洗浄ユニットが設置され、前記円柱アームの前後左右四方向には支持アームが四つ固定的に設置され、前記支持アームの一端は前記押出板と固定されていることを特徴とする請求項１に記載の取り外し可能な電気スタンド。
【請求項３】
前記押出板の中には円形空間が設置され、前記円形空間の頂壁の中には調節モータが固定的に嵌め込まれ、前記調節モータの底部には円盤が伝動できるように連結され、前記円盤の左右両端には抵抗ブロックが固定的に設置され、右側に位置する前記抵抗ブロックは左側に位置する前記抵抗ブロックより電気抵抗が強く、前記円形空間の頂壁の中には導電コンタクトが固定的に設置され、前記導電コンタクトは前記抵抗ブロックと接続することで、前記抵抗ブロックに前記底部電気コンタクトと前記導電コンタクトとを接続させることを特徴とする請求項１に記載の取り外し可能な電気スタンド。
【請求項４】
動力源はウォームホイールと、巻き付き輪と、ウォームとによって構成され、
前記ウォームホイールは前記伝動空間の中に回転できるように設置され、且つ前記ウォームホイールが二つあり、前記ウォームホイールの前端には前記巻き付き輪が固定的に設置され、前記動力空間と前記伝動空間との間には前記ウォームが回転できるように設置され、前記ウォームと前記ウォームホイールとは噛み合うように連結され、前記ウォームの左右両部分のネジ山が反対に設置されていることを特徴とする請求項１に記載の取り外し可能な電気スタンド。
【請求項５】
前記ウォームの左側の末端にはフェースギヤが固定的に設置され、前記動力空間の中には回転軸が回転できるように設置され、前記回転軸の外周には前記フェースギヤと噛み合うように設置されたギヤが固定的に設置され、前記回転軸の頂端には回転盤が固定的に設置され、前記回転盤の頂端には凹み空間が設置され、前記回転盤の頂部にある前記台座の中には連通溝が形成され、前記連通溝は外部空間と連通するように設置され、前記凹み空間は一つの揺動ロッドと協働するように使用されることを特徴とする請求項４に記載の取り外し可能な電気スタンド。
【請求項６】
昇降ユニットはスライドロッドと、スライダと、リールと、引き糸と、導電スリーブと、導電柱とによって構成され、
前記スライドロッドは前記スライド空間の中にスライドできるように設置され、前記スライドロッドの頂部が前記支持柱体を貫通し、前記スライドロッドにおいて底部に近接した左右両端にはいずれも前記スライダが固定的に設置され、前記スライド空間の中には左右対称的に設置された二つの前記リールが回転できるように設置され、前記スライダの頂端には前記引き糸が固定的に設置され、前記引き糸は前記リールと前記巻き付き輪とに巻いたあとに前記スライダの底端と固定され、前記スライドロッドの中には前記導電スリーブが固定的に設置され、前記導電スリーブの中には前記導電柱が設置され、前記導電柱と前記導電スリーブとはスライドできるように連結され、前記導電柱の底端と前記台座の頂端とは固定され、前記導電スリーブは前記スライドロッドを貫通し、且つ前記円柱アームの中にある導電ブロックと接触できることを特徴とする請求項１に記載の取り外し可能な電気スタンド。
【請求項７】
前記スライドロッドにおいて頂部に近接した左右両端には凹溝が形成され、前記円柱アームの中には二つのボルトがネジ山によって連結されていることを特徴とする請求項６に記載の取り外し可能な電気スタンド。
【請求項８】
洗浄ユニットは回転ブロックと、回転モータと、矩形スライド空間と、矩形スライダと、洗浄板と、ばねとによって構成され、
前記回転ブロックは前記半円溝の中に回転できるように設置され、左側に位置する前記半円溝の片側端壁の中には前記回転モータが固定的に嵌め込まれ、左側に位置する前記回転ブロックの一端と前記回転モータとは伝動できるように連結され、前記回転ブロックの中の底端には前記矩形スライド空間が設置され、前記矩形スライド空間の中には前記矩形スライダがスライドできるように設置され、二つの前記矩形スライダの間には前記洗浄板が固定的に設置され、前記矩形スライダと前記矩形スライド空間の頂壁との間には前記ばねが装着されていることを特徴とする請求項１に記載の取り外し可能な電気スタンド。
【発明の詳細な説明】
【技術分野】
【０００１】
本願発明は灯具技術分野を取り上げて、具体的には取り外し可能な電気スタンドである。
【背景技術】
【０００２】
現在、市販されている電気スタンドは長時間使用されたあと、ランプシェードに埃が溜まり、そうすると光の透過率が低くなり、照明効果も悪くなり、また、これらの電気スタンドのほとんどは一体式であるため、取り外しが難しく、洗浄を面倒にさせ、また、電気スタンドのアームは比較的に長いので、搬送する時に不便をもたらし、取り付けることも面倒である。
【先行技術文献】
【特許文献】
【０００３】
【特許文献１】中国特許出願公開第１０１９７９９１２号明細書
【発明の概要】
【発明が解決しようとする課題】
【０００４】
本発明は取り外し可能な電気スタンドを提供し、従来技術における上記欠点を解消することを目的とする。
【課題を解決するための手段】
【０００５】
本願発明の取り外し可能な電気スタンドの実施例は、台座と、支持柱体と、押出板とを含み、前記支持柱体は前記台座の頂端に固定され、前記支持柱体の中にはスライド空間が設置され、前記スライド空間の中には前記押出板の高度を調節できる昇降ユニットが設置され、前記台座の中には伝動空間が設置され、前記伝動空間の中には前記昇降ユニットに動力を提供する動力源が設置され、前記伝動空間の左側にある前記台座の中には動力空間が設置され、前記押出板の底端には円柱アームが固定的に設置され、前記円柱アームは前記支持柱体の頂部に取り外し可能に装着され、前記押出板の底端には照明ユニットが固定的に設置され、
前記照明ユニットは前記押出板の底端に固定的に設置されたランプシェードを含み、前記ランプシェードの中にはライトが固定的に設置され、前記ライトの頂端には底部電気コンタクトが固定的に設置され、前記ランプシェードの左右両側にある前記押出板の中には二つの半円型溝が対称的に形成されている。
【０００６】
上記の技術プランに基づき、前記半円型溝の中には前記ランプシェードに洗浄を行える洗浄ユニットが設置され、前記円柱アームの前後左右四方向には支持アームが四つ固定的に設置され、前記支持アームの一端は前記押出板と固定されている。
【０００７】
上記の技術プランに基づき、前記押出板の中には円形空間が設置され、前記円形空間の頂壁の中には調節モータが固定的に嵌め込まれ、前記調節モータの底部には円盤が伝動できるように連結され、前記円盤の左右両端には抵抗ブロックが固定的に設置され、右側に位置する前記抵抗ブロックは左側に位置する前記抵抗ブロックより電気抵抗が強く、前記円形空間の頂壁の中には導電コンタクトが固定的に設置され、前記導電コンタクトは前記抵抗ブロックと接続することで、前記抵抗ブロックに前記底部電気コンタクトと前記導電コンタクトとを接続させる。
【０００８】
上記の技術プランに基づき、動力源はウォームホイールと、巻き付き輪と、ウォームとによって構成され、前記ウォームホイールは前記伝動空間の中に回転できるように設置され、且つ前記ウォームホイールが二つあり、前記ウォームホイールの前端には前記巻き付き輪が固定的に設置され、前記動力空間と前記伝動空間との間には前記ウォームが回転できるように設置され、前記ウォームと前記ウォームホイールとは噛み合うように連結され、前記ウォームの左右両部分のネジ山が反対に設置されている。
【０００９】
上記の技術プランに基づき、前記ウォームの左側の末端にはフェースギヤが固定的に設置され、前記動力空間の中には回転軸が回転できるように設置され、前記回転軸の外周には前記フェースギヤと噛み合うように設置されたギヤが固定的に設置され、前記回転軸の頂端には回転盤が固定的に設置され、前記回転盤の頂端には凹み空間が設置され、前記回転盤の頂部にある前記台座の中には連通溝が形成され、前記連通溝は外部空間と連通するように設置され、前記凹み空間は一つの揺動ロッドと協働するように使用される。
【００１０】
上記の技術プランに基づき、昇降ユニットはスライドロッドと、スライダと、リールと、引き糸と、導電スリーブと、導電柱とによって構成され、前記スライドロッドは前記スライド空間の中にスライドできるように設置され、前記スライドロッドの頂部が前記支持柱体を貫通し、前記スライドロッドにおいて底部に近接した左右両端にはいずれも前記スライダが固定的に設置され、前記スライド空間の中には左右対称的に設置された二つの前記リールが回転できるように設置され、前記スライダの頂端には前記引き糸が固定的に設置され、前記引き糸は前記リールと前記巻き付き輪とに巻いたあとに前記スライダの底端と固定され、前記スライドロッドの中には前記導電スリーブが固定的に設置され、前記導電スリーブの中には前記導電柱が設置され、前記導電柱と前記導電スリーブとはスライドできるように連結され、前記導電柱の底端と前記台座の頂端とは固定され、前記導電スリーブは前記スライドロッドを貫通し、且つ前記円柱アームの中にある導電ブロックと接触できる。
【００１１】
上記の技術プランに基づき、前記スライドロッドにおいて頂部に近接した左右両端には凹溝が形成され、前記円柱アームの中には二つのボルトがネジ山によって連結され、前記ボルトは前記凹溝の中に挿入されて前記円柱アームを前記スライドロッドに固定させることができる。
【００１２】
上記の技術プランに基づき、洗浄ユニットは回転ブロックと、回転モータと、矩形スライド空間と、矩形スライダと、洗浄板と、ばねとによって構成され、前記回転ブロックは前記半円溝の中に回転できるように設置され、左側に位置する前記半円溝の片側端壁の中には前記回転モータが固定的に嵌め込まれ、左側に位置する前記回転ブロックの一端と前記回転モータとは伝動できるように連結され、前記回転ブロックの中の底端には前記矩形スライド空間が設置され、前記矩形スライド空間の中には前記矩形スライダがスライドできるように設置され、二つの前記矩形スライダの間には前記洗浄板が固定的に設置され、前記矩形スライダと前記矩形スライド空間の頂壁との間には前記ばねが装着されている。
【発明の効果】
【００１３】
本願発明の有益効果は：本願発明は電気スタンドの高度を調節でき、組み立て製品として搬送作業に便利を与え、また、しばらく使用されたあとに自動的にランプシェードを洗浄し、ランプシェードの光の透過率を保証し、照明効果を向上させる。
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明の取り外し可能な電気スタンドの内部の全体構成模式図
【図２】図２は図１におけるＡの局部拡大模式図
【図３】図３は図１におけるＢの局部拡大模式図
【図４】図４は図１におけるＣの局部拡大模式図
【図５】図５は図１におけるＤの局部拡大模式図
【図６】図６は図１におけるＥの局部拡大模式図
【図７】図７は本願発明の揺動ロッドの模式図
【発明を実施するための形態】
【００１６】
図１〜７を参照し、本願発明の取り外し可能な電気スタンドの実施例は、台座１０と、支持柱体１１と、押出板１２とを含み、前記支持柱体１１は前記台座１０の頂端に固定され、前記支持柱体１１の中にはスライド空間３１が設置され、前記スライド空間３１の中には前記押出板１２の高度を調節できる昇降ユニット７０が設置され、前記台座１０の中には伝動空間２８が設置され、前記伝動空間２８の中には前記昇降ユニット７０に動力を提供する動力源７１が設置され、前記伝動空間２８の左側にある前記台座１０の中には動力空間１５が設置され、前記押出板１２の底端には円柱アーム１４が固定的に設置され、前記円柱アーム１４は前記支持柱体１１の頂部に取り外し可能に装着され、前記押出板１２の底端には照明ユニット７２が固定的に設置され、前記照明ユニット７２は前記押出板１２の底端に固定的に設置されたランプシェード４５を含み、前記ランプシェード４５の中にはライト４６が固定的に設置され、前記ライト４６の頂端には底部電気コンタクト４７が固定的に設置され、前記ランプシェード４５の左右両側にある前記押出板１２の中には二つの半円型溝５５が対称的に形成されている。
【００１７】
また、一つの実施例において、前記半円型溝５５の中には前記ランプシェード４５に洗浄を行える洗浄ユニット７３が設置され、前記円柱アーム１４の前後左右四方向には支持アーム１３が四つ固定的に設置され、前記支持アーム１３の一端は前記押出板１２と固定され、前記支持アーム１３は前記押出板１２を安定にする。
【００１８】
また、一つの実施例において、前記押出板１２の中には円形空間５２が設置され、前記円形空間５２の頂壁の中には調節モータ５０が固定的に嵌め込まれ、前記調節モータ５０の底部には円盤４８が伝動できるように連結され、前記円盤４８の左右両端には抵抗ブロック４９が固定的に設置され、右側に位置する前記抵抗ブロック４９は左側に位置する前記抵抗ブロック４９より電気抵抗が強く、前記円形空間５２の頂壁の中には導電コンタクト５３が固定的に設置され、前記導電コンタクト５３は前記抵抗ブロック４９と接続することで、前記抵抗ブロック４９に前記底部電気コンタクト４７と前記導電コンタクト５３とを接続させ、前記調節モータが作動することで、異なる前記抵抗ブロック４９を切り替えられ、そして照明強度を調節する。
【００１９】
また、一つの実施例において、前記動力源７１は前記伝動空間２８の中に回転できるように設置された二つのウォームホイール２５を含み、前記ウォームホイール２５の前端には巻き付き輪２６が固定的に設置され、前記動力空間１５と前記伝動空間２８との間にはウォーム２７が回転できるように設置され、前記ウォーム２７と前記ウォームホイール２５とは噛み合うように連結され、前記ウォーム２７の左右両部分のネジ山が反対に設置され、前記ウォーム２７の回転で前記ウォームホイール２５は回転し、前記昇降ユニット７０を昇降させることができる。
【００２０】
また、一つの実施例において、前記ウォーム２７の左側の末端にはフェースギヤ２９が固定的に設置され、前記動力空間１５の中には回転軸１７が回転できるように設置され、前記回転軸１７の外周には前記フェースギヤ２９と噛み合うように設置されたギヤ１６が固定的に設置され、前記回転軸１７の頂端には回転盤２０が固定的に設置され、前記回転盤２０の頂端には凹み空間１８が設置され、前記回転盤２０の頂部にある前記台座１０の中には連通溝１９が形成され、前記連通溝１９は外部空間と連通するように設置され、前記凹み空間１８は一つの揺動ロッド５７と協働するように使用され、前記揺動ロッド５７を前記凹み空間１８の中に挿入し、前記揺動ロッド５７を回転させ、前記回転盤２０を回転させ、そして前記回転軸１７は回転し、前記ギヤ１６と前記フェースギヤ２９とを通じて前記ウォーム２７を駆動して回転させる。
【００２１】
また、一つの実施例において、前記昇降ユニット７０は前記スライド空間３１の中にスライドできるように設置されたスライドロッド３３を含み、前記スライドロッド３３の頂部が前記支持柱体１１を貫通し、前記スライドロッド３３において底部に近接した左右両端にはいずれもスライダ３４が固定的に設置され、前記スライド空間３１の中には左右対称的に設置された二つのリール３０が回転できるように設置され、前記スライダ３４の頂端には引き糸２４が固定的に設置され、前記引き糸２４は前記リール３０と前記巻き付き輪２６とに巻いたあとに前記スライダ３４の底端と固定され、前記スライドロッド３３の中には導電スリーブ３２が固定的に設置され、前記導電スリーブ３２の中には導電柱２３が設置され、前記導電柱２３と前記導電スリーブ３２とはスライドできるように連結され、前記導電柱２３の底端と前記台座１０の頂端とは固定され、前記導電スリーブ３２は前記スライドロッド３３を貫通し、且つ前記円柱アーム１４の中にある導電ブロック３６と接触でき、前記巻き付き輪２６の回転で、前記スライダ３４は上昇または下降し、そして前記スライドロッド３３は上昇または下降し、さらに前記円柱アーム１４は上昇または下降する。
【００２２】
また、一つの実施例において、前記スライドロッド３３において頂部に近接した左右両端には凹溝３８が形成され、前記円柱アーム１４の中には二つのボルト３５がネジ山によって連結され、前記ボルト３５は前記凹溝３８の中に挿入されて前記円柱アーム１４を前記スライドロッド３３に固定させることができる。
【００２３】
また、一つの実施例において、前記洗浄ユニット７３は前記半円溝５５の中に回転できるように設置された回転ブロック４０を含み、左側に位置する前記半円溝５５の片側端壁の中には回転モータ３９が固定的に嵌め込まれ、左側に位置する前記回転ブロック４０の一端と前記回転モータ３９とは伝動できるように連結され、前記回転ブロック４０の中の底端には矩形スライド空間４２が設置され、前記矩形スライド空間４２の中には矩形スライダ４１がスライドできるように設置され、二つの前記矩形スライダ４１の間には洗浄板４４が固定的に設置され、前記矩形スライダ４１と前記矩形スライド空間４２の頂壁との間にはばね５９が装着され、前記回転モータ３９を制御して作動させることで前記回転ブロック４０は回転し、前記洗浄板４４に前記ランプシェード４５を洗浄させ、前記ランプシェード４５の清潔さを保つ。
【００２４】
使用時、まず円柱アーム１４をスライドロッド３３に装着し、台座１０を地下に埋め込み、手動で揺動ロッド５７を凹み空間１８の中に挿入し、揺動ロッド５７を回転させ、回転盤２０を回転させ、そして回転軸１７は回転し、ギヤ１６とフェースギヤ２９とを通じてウォーム２７を駆動して回転させ、さらにウォームホイール２５は回転し、巻き付き輪２６を駆動して回転させ、そしてスライダ３４は上昇または下降し、スライドロッド３３は上昇または下降し、円柱アーム１４は上昇または下降し、そうすることで高度を調節でき、一定の期間を経つたびに回転モータ３９を作動させ、回転ブロック４０は回転し、洗浄板４４にランプシェード４５を洗浄させ、ランプシェード４５の清潔さを保ち、雨天時、調節モータ５０を制御して作動させることで円盤４８は回転し、そして左右対称の二つの抵抗ブロック４９に位置を交換させ、ライト４６の明るさを強める。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020187994.tif 000003
【図２】
2020187994.tif 000004
【図３】
2020187994.tif 000005
【図４】
2020187994.tif 000006
【図５】
2020187994.tif 000007
【図６】
2020187994.tif 000008
【図７】
2020187994.tif 000009